(57)【要約】【課題】ユーザが補正対象を任意に選ぶことのできる画像補正装置、携帯通信端末、画像補正方法、及びプログラムを提供する。【解決手段】画像補正装置が、被写体を特定するための被写体情報を含む記憶部２１と、被写体情報に基づいて画像から被写体領域を検出する被写体検出部２２ａと、被写体検出部２２ａにより検出された被写体領域が複数ある場合において、それら複数の被写体領域のうち、タッチスクリーン１７への接触により選択された１乃至複数の被写体領域に対して補正を行う画像補正部２２ｄと、を備える。記憶部２１には、予め分けられた複数の区分の各々に所定の補正パラメータを関連付ける被写体補正情報が記憶されている。【選択図】図４
2011087030.tif 000002
【特許請求の範囲】
【請求項１】
被写体を特定するための被写体情報を記憶する記憶部と、
前記被写体情報に基づいて画像から被写体領域を検出する被写体検出部と、
前記被写体検出部により検出された被写体領域が複数ある場合において、それら複数の被写体領域のうち、ポインティングデバイスの操作により選択された１乃至複数の被写体領域に対して補正を行う画像補正部と、
を備える、
ことを特徴とする画像補正装置。
【請求項２】
前記記憶部には、予め分けられた複数の区分の各々に所定の補正パラメータを関連付ける被写体補正情報が記憶され、
前記検出された被写体領域が、前記複数の区分のいずれに属するかを求める被写体識別部を備え、
前記画像補正部は、前記被写体識別部により得られた前記区分に係る前記補正パラメータに基づいて前記補正を行う、
ことを特徴とする請求項１に記載の画像補正装置。
【請求項３】
前記複数の区分は、前記被写体の特徴点に基づいて分けられている、
ことを特徴とする請求項２に記載の画像補正装置。
【請求項４】
前記被写体は、人の顔である、
ことを特徴とする請求項１乃至３のいずれか一項に記載の画像補正装置。
【請求項５】
請求項１乃至４のいずれか一項に記載の画像補正装置と、前記ポインティングデバイスと、を備える、
ことを特徴とする携帯通信端末。
【請求項６】
無線通信を行う無線通信部を備え、
前記画像補正部は、前記無線通信に係る通信先及び画像が選択されることに基づき、該無線通信に係る画像について前記補正を実行する、
ことを特徴とする請求項５に記載の携帯通信端末。
【請求項７】
前記画像補正部は、前記通信先に応じて決定された補正パラメータに基づいて前記補正を行う、
ことを特徴とする請求項６に記載の携帯通信端末。
【請求項８】
被写体を特定するための被写体情報を記憶する記憶部から前記被写体情報を読み出し、該被写体情報に基づいて画像から被写体領域を検出することと、
前記被写体検出部により検出された被写体領域が複数ある場合において、それら複数の被写体領域のうち、ポインティングデバイスの操作により選択された１乃至複数の被写体領域に対して補正を行うことと、
を含む、
ことを特徴とする画像補正方法。
【請求項９】
被写体を特定するための被写体情報を記憶する記憶部を有するコンピュータを、
前記被写体情報に基づいて画像から被写体領域を検出する被写体検出部、
前記被写体検出部により検出された被写体領域が複数ある場合において、それら複数の被写体領域のうち、ポインティングデバイスの操作により選択された１乃至複数の被写体領域に対して補正を行う画像補正部、
として機能させるためのプログラム。
【発明の詳細な説明】
【技術分野】
【０００１】
本発明は、画像中の被写体領域を補正する画像補正装置、携帯通信端末、画像補正方法、及びプログラムに関する。
【背景技術】
【０００２】
例えば特許文献１、２に記載される画像補正技術がある。これらの技術では、被写体の顔色等に応じて画像補正条件を選択することができる。
【先行技術文献】
【特許文献】
【０００３】
【特許文献１】特開２００７−８８９９３号公報
【特許文献２】特開２００７−９４４８７号公報
【発明の概要】
【発明が解決しようとする課題】
【０００４】
しかしながら、上記特許文献１、２には、画像中に複数の被写体領域が存在する場合においてユーザ自身が補正すべき被写体領域を任意に選択するための具体的な手段が明示されていない。
【０００５】
本発明は、ユーザが補正対象を任意に選ぶことのできる画像補正装置、携帯通信端末、画像補正方法、及びプログラムを提供することを目的とする。
【課題を解決するための手段】
【０００６】
本発明の第１の観点に係る画像補正装置は、被写体を特定するための被写体情報を記憶する記憶部と、前記被写体情報に基づいて画像から被写体領域を検出する被写体検出部と、前記被写体検出部により検出された被写体領域が複数ある場合において、それら複数の被写体領域のうち、ポインティングデバイスの操作により選択された１乃至複数の被写体領域に対して補正を行う画像補正部と、を備える。
【０００７】
本発明の第２の観点に係る携帯通信端末は、前記画像補正装置と、前記ポインティングデバイスと、を備える。
【０００８】
本発明の第３の観点に係る画像補正方法は、被写体を特定するための被写体情報を記憶する記憶部から前記被写体情報を読み出し、該被写体情報に基づいて画像から被写体領域を検出することと、前記被写体検出部により検出された被写体領域が複数ある場合において、それら複数の被写体領域のうち、ポインティングデバイスの操作により選択された１乃至複数の被写体領域に対して補正を行うことと、を含む。
【０００９】
本発明の第４の観点に係るプログラムは、被写体を特定するための被写体情報を記憶する記憶部を有するコンピュータを、前記被写体情報に基づいて画像から被写体領域を検出する被写体検出部、前記被写体検出部により検出された被写体領域が複数ある場合において、それら複数の被写体領域のうち、ポインティングデバイスの操作により選択された１乃至複数の被写体領域に対して補正を行う画像補正部、として機能させる。
【００１０】
なお、「ポインティングデバイス」は、画面上の座標位置を入力するための装置である。すなわち、「ポインティングデバイス」には、マウス、トラックボール、ライトペン、タッチスクリーン（タッチパネル）、ディジタイザ、及びタブレット等が含まれる。また、「携帯通信端末」には、携帯電話機のほか、ＰＨＳ（Personal Handyphone System）、ＰＤＡ（Personal Digital Assistants）、及び小型コンピュータ等も含まれる。また、各構成要素の重複する機能に関しては、構成要素ごとに別々にその機能を実現する手段（部分）を設けてもよいが、１つの手段（部分）を複数の構成要素で共用するように構成すれば、全体の構成を簡素にすることができる。
【発明の効果】
【００１１】
本発明によれば、ユーザが補正対象を任意に選ぶことができる。
【図面の簡単な説明】
【００１２】
【図１】実施形態１に係る携帯電話機の第１面（表）を示す図である。
【図２】実施形態１に係る携帯電話機の第２面（裏）を示す図である。
【図３】実施形態１に係る携帯電話機の構成要素を示すブロック図である。
【図４】制御部の構成要素を示すブロック図である。
【図５】被写体補正情報の第１の例を示す図である。
【図６】被写体補正情報の第２の例を示す図である。
【図７】被写体補正情報の第３の例を示す図である。
【図８】実施形態１に係る画像補正方法の概要を示すフローチャートである。
【図９】実施形態２に係る画像補正方法の概要を示すフローチャートである。
【発明を実施するための形態】
【００１３】
以下、本発明の実施形態について説明する。
【００１４】
（実施形態１）
本実施形態の携帯電話機１００は、図１〜図３に示すように、第１筐体１０１と、第２筐体１０２と、アンテナ１０３ａ、１０３ｂと、無線通信部１１と、放送受信部１２と、カメラ１３と、音声処理部１４と、マイク１５（送話部）と、スピーカ１６（受話部）と、タッチスクリーン１７（表示部、ポインティングデバイス）と、操作部１８と、状態検出部１９と、測位部２０と、記憶部２１と、制御部２２と、を有する。
【００１５】
本実施形態の携帯電話機１００は、スライド型の携帯電話機である。第２筐体１０２は、携帯電話機１００の操作部側筐体に相当し、第１筐体１０１は、携帯電話機１００の表示部側筐体に相当する。第１筐体１０１と第２筐体１０２とは、相互に構造的・電気的に結合している。また、スライド機構により、第１筐体１０１と第２筐体１０２とは相互にスライド移動（往復動）することができる。詳しくは、第１筐体１０１と第２筐体１０２とが重なった状態（閉状態）から、第２筐体１０２に対して第１筐体１０１が相対的にスライド移動することで、第１筐体１０１が第２筐体１０２の一部のみと重なる状態（開状態）になる。ただし、スライド型に限定されず、携帯電話機１００は、折畳み型の携帯電話機であってもよい。
【００１６】
無線通信部１１は、アンテナ１０３ａを介して図示しない無線基地局装置と無線通信を行う。無線基地局装置を介して、携帯電話機１００と他の端末との間でデータが送受される。
【００１７】
放送受信部１２は、放送局（地上局、衛星など）から送信された放送信号をアンテナ１０３ｂを介して受信し、その受信した信号を復調することにより、映像データ、音声データ、情報データ等を生成する。この際、必要に応じて、適宜の信号処理（放送信号処理）をする。
【００１８】
カメラ１３は、例えばＣＣＤ素子又はＣＭＯＳ素子等からなる撮像素子を有する。カメラ１３は、撮像素子の撮像により、画像を取得（撮影）する。この画像は、例えばデジタル画像である。画像が被写体を含む場合、その画像の領域は、背景領域と被写体領域とからなる。したがって、被写体領域は、背景領域とは区別される。なお、被写体は任意である。例えば人、動物、建物、又はそれらの任意の部位などを、被写体として設定することができる。本実施形態では、人の顔を被写体とする。また、カメラ１３の種類や配置等も任意である。
【００１９】
音声処理部１４は、マイク１５を介して入力される音声信号や、スピーカ１６を介して出力される音声信号などを処理する。スピーカ１６は、楽音や報知音などの鳴音出力も行う。
【００２０】
タッチスクリーン１７は、画像、図形、文字、記号などの情報を表示する。さらに表示に際しては、必要に応じて、適宜の信号処理（映像信号処理）をする。また、タッチスクリーン１７は、こうしたディスプレイとしての表示機能に加え、ポインティングデバイスとしての機能も有する。すなわち、タッチスクリーン１７は、感圧式又は静電式等により、ユーザの入力操作を感知する機能を有する。感圧式では圧力の変化を感知し、静電式では静電気による電気信号を感知する。タッチスクリーン１７の表面は、接触を検知するための素子を配置した透明なフィルムで覆われている。ユーザは指や専用のペン等でタッチスクリーン１７の画面に触れることで、ユーザの意思、すなわちその入力操作に応じた信号を制御部２２等に伝える（送る）ことができる。
【００２１】
操作部１８は、テンキー１８ａ、方向キー／決定キー１８ｂ、及びファンクションキー１８ｃ等から構成される。ユーザから携帯電話機１００への各種の情報入力は、タッチスクリーン１７又は操作部１８を通じて行われる。
【００２２】
状態検出部１９は、第１筐体１０１と第２筐体１０２との相対的なスライド動作を、図示しない磁気／ホール素子、あるいは凸部／押下スイッチ等によるセンサ（スライドセンサ）により検出する。スライドセンサは、例えば第１筐体１０１又は第２筐体１０２に設けられる。
【００２３】
携帯電話機１００は、ＧＰＳ（Global Positioning System）を利用して、現在位置を測定する機能を有する。ＧＰＳは、人工衛星を利用して自分が地球上のどこにいるのかを正確に割り出すシステムである。測位部２０は、ＧＰＳ受信機を有する。ＧＰＳ受信機は、複数のＧＰＳ衛星から発射された電波を受信する。測位部２０は、携帯電話機１００に到達するまでの時間を測定し、その時間差からＧＰＳ衛星と携帯電話機１００との距離を求め、この距離を利用して現在位置（位置座標）を求める。３つの衛星からの電波を受信できる場所では緯度と経度を、４つの衛星からの電波を受信できる場所ではさらに高度も割り出すことができる。
【００２４】
記憶部２１は、例えばフラッシュメモリ、ハードディスク、ＲＯＭ（Read-Only Memory）、及びＲＡＭ（Random Access Memory）のいずれか、又は任意の組み合わせからなる。記憶部２１には、例えば通信のための情報（例えば電話帳、送受信メール、発着呼など）、コンテンツデータ（例えばカメラ１３で撮影された画像など）、アプリケーションプログラム、及びその他の携帯電話機１００の諸設定などが格納されている。さらに、被写体検出情報（被写体情報）、被写体識別情報、及び被写体補正情報も、予め記憶部２１に格納されている。ここで、被写体検出情報は、被写体（例えば人の顔）を特定するための情報（例えばテンプレート）である。被写体識別情報は、被写体の属する区分を識別するための情報である。被写体補正情報は、被写体領域の補正に関する情報である。例えば美肌補正、小顔補正、又は日焼け補正など、その被写体にとってより好ましい補正の情報が、被写体補正情報として被写体ごとに予め登録されている。
【００２５】
制御部２２は、図４に示すように、被写体検出部２２ａと、被写体入力受付部２２ｂと、被写体識別部２２ｃと、画像補正部２２ｄと、を有する。これらは、例えばマイクロコンピュータ、すなわちＣＰＵ（Central Processing Unit）、ＲＯＭ、及びＲＡＭ等から構成される。ここで、ＲＯＭは、各種処理を実行するためのプログラムやデータを記憶する。ＲＡＭは、データを一時的に記憶する。また、ＣＰＵは、ＲＯＭやＲＡＭ等からプログラムやデータを読み出して、プログラムの実行やデータ処理等を行う。被写体検出部２２ａは、被写体検出情報に基づいて被写体領域を検出する。被写体入力受付部２２ｂは、検出された被写体領域が複数ある場合には、タッチスクリーン１７への入力に基づいて、複数の選択肢（それぞれ検出された被写体領域）から任意の被写体領域を選択可能にする。被写体識別部２２ｃは、被写体識別情報に基づいて被写体の属する区分を検出する。画像補正部２２ｄは、被写体補正情報に基づいて被写体領域を補正する。
【００２６】
図５〜図７の各々に、被写体補正情報の一例を示す。図５に示すように、被写体補正情報においては、例えば任意のルールに基づいて分けられた複数の区分、すなわちグループＡ〜Ｄの各々について、好ましい補正パラメータ（補正Ａ〜Ｄ）が規定されている。すなわち、この被写体補正情報は、グループＡ〜Ｄの各々に所定の補正パラメータ（補正Ａ〜Ｄ）を関連付けている。
【００２７】
グループＡ〜Ｄは、例えば被写体の特徴点に基づいて分けられる。被写体（例えば人の顔）の特徴点は、例えば顔の形状や大きさ、あるいは目、鼻、口、耳等の位置や大きさや形状などである。また、メールの宛先に基づいて、グループＡ〜Ｄを区分することもできる。被写体は、グループＡ〜Ｄに応じて分類される。なお、区分の数は、２以上の任意の数である。また、１つの区分に含まれる被写体の数は、複数に限らず１つであってもよい。登録内容は、ユーザが自由に変更できることが好ましい。
【００２８】
また、区分の仕方も任意である。例えば図６に示すように、性別に基づいて区分してもよい。あるいは、図７に示すように、年齢に基づいて区分してもよい。さらには、これら両方によって、区分してもよい。その他、人種等によって区分してもよい。さらには、予め割り振られた被写体を識別するためのＩＤ（Identification）を用いて、区分してもよい。
【００２９】
被写体がいずれの区分に属するかは、例えば画像から検出される被写体領域の特徴点（以下、検出特徴点という）と区分ごとに予め定められた被写体の特徴点（以下、基準特徴点という）とを比較することによって、検出することができる。すなわち、その被写体の検出特徴点が基準特徴点と一致する場合、被写体はその区分に属する。また、ユーザによって指定されたメールの宛先に基づいて、被写体の属する区分を検出することもできる。
【００３０】
その他、例えばタッチスクリーン１７や操作部１８から打ち込まれたＩＤ等に基づいて、被写体の属する区分を検出してもよい。この際、本人（又は許可を受けた者）か否かを判別するために、パスワードの入力を求めるようにしてもよい。また、ユーザと被写体とが同一人物である場合には、生体認証（指紋、虹彩、静脈、声紋、顔形、又は筆跡など）に基づいて、被写体がいずれの区分に属するかを検出してもよい。
【００３１】
なお、被写体の属する区分を識別するための基準特徴点や宛先等は、前述した被写体識別情報に相当する。
【００３２】
携帯電話機１００は、電話機能（通話など）、メール機能（送受信など）、インターネット（ｗｅｂ）接続機能、カメラ機能、テレビ受信機能、コンテンツ再生機能、被写体検出機能、被写体識別機能、画像補正機能などを有する。制御部２２は、記憶部２１内のプログラムに基づいて、それらの機能や各部の制御を行う。
【００３３】
以下、携帯電話機１００の動作について説明する。携帯電話機１００は、例えば図８に示すような処理を実行する。これらの処理は、例えば制御部２２において、ＲＯＭ内のプログラムをＣＰＵが実行することで、開始され又は進行する。図８の処理は、例えばカメラ１３による撮影時、又はその後の画像編集時や画像プレビュー時など、所定のタイミングで実行される。被写体は任意であるが、ここでは、一例として人の顔を被写体とする。
【００３４】
ステップＳ１１では、制御部２２が補正すべき画像（以下、対象画像という）を読み出す。いずれの画像を読み出すかは、例えばユーザがタッチスクリーン１７や操作部１８を通じて指示する。具体的には、例えばタッチスクリーン１７に選択肢が表示され、その中からユーザが選択する。
【００３５】
続くステップＳ１２では、被写体検出部２２ａが、対象画像に含まれる被写体領域を検出する。すなわち、被写体検出部２２ａは、画像全体から人の顔に相当する領域を抽出する。
【００３６】
続くステップＳ１３では、被写体入力受付部２２ｂが、ステップＳ１２で検出された被写体領域が複数であるか否かを判断する。そして、ステップＳ１３で複数であると判断された場合（ステップＳ１３：ＹＥＳ）には、さらに続くステップＳ１４で、それらの被写体領域をタッチスクリーン１７に表示し、ユーザが任意の１つを選ぶまで、あるいはキャンセルされるまで、入力待ちの状態にする。この際、ユーザは、タッチスクリーン１７（特に画像中の被写体領域）に触れるだけで、任意の被写体領域を容易に選ぶことができる。なお、選択する被写体領域の数は、１つに限定されず、複数であってもよい。
【００３７】
他方、ステップＳ１３で複数でないと判断された場合（ステップＳ１３：ＮＯ）、すなわちステップＳ１２で１つの被写体領域しか検出されなかった場合には、自動的にその１つが選択される。
【００３８】
続くステップＳ１５では、被写体識別部２２ｃが、被写体補正情報を参照して、上記選択された被写体（顔）に関する情報を検索し、さらに続くステップＳ１６で、その被写体に関する情報（データ）が記憶部２１に存在するか否かを判断する。具体的には、被写体補正情報の各区分（例えば図５のグループＡ〜Ｄ）には予め所定の基準特徴点が定められている。被写体識別部２２ｃは、所定の画像分析に基づき、対象画像から被写体領域の特徴点（検出特徴点）を検出し、その検出特徴点が、いずれの区分の基準特徴点と一致するか、あるいはいずれの区分の基準特徴点とも一致しないかを判断する。
【００３９】
そして、ステップＳ１６でデータが存在すると判断された場合（ステップＳ１６：ＹＥＳ）には、被写体識別部２２ｃは、ステップＳ１７で、被写体補正情報を参照して、その被写体が属する区分の補正パラメータを取得する。その後、必要に応じて、その補正パラメータの内容をタッチスクリーン１７に表示し、その補正パラメータについて、ユーザの承認を得る。すなわち、その補正パラメータに決定するか、あるいは他の補正パラメータへ変更するかを、ユーザに選ばせる。なお、こうしたユーザの承認は割愛可能であり、ユーザの承認を割愛する場合には、ステップＳ１７で取得した補正パラメータに自動的に決定される。
【００４０】
他方、ステップＳ１６でデータが存在しないと判断された場合（ステップＳ１６：ＮＯ）には、被写体識別部２２ｃは、ステップＳ１８で、補正パラメータの選択肢をタッチスクリーン１７に表示し、ユーザが任意の補正パラメータを選ぶまで、あるいはキャンセルされるまで、入力待ちの状態にする。なお、補正パラメータは、他の方式で入力されてもよい。例えば数値入力によって、補正パラメータを指定することもできる。
【００４１】
続くステップＳ１９では、画像補正部２２ｄが、ステップＳ１７又はＳ１８で決定された補正パラメータに基づいて、対象画像を補正する。そして、さらに続くステップＳ２０で、その補正後の画像をタッチスクリーン１７に表示したり、記憶部２１に保存したりする。以上をもって、図８の処理は終了する。
【００４２】
本実施形態の携帯電話機１００は、対象画像が複数の被写体領域を含む場合に、図８のステップＳ１４の処理を実行する。このため、ユーザは、補正対象（被写体領域）を任意に選ぶことができる。しかも、ユーザは、タッチスクリーン１７に触れるだけで、任意の被写体領域を容易に選ぶことができる。
【００４３】
本実施形態の携帯電話機１００は、図８のステップＳ１５〜Ｓ１８の処理を実行する。このため、予め被写体識別情報や被写体補正情報を登録しておくことで、被写体の特徴等に応じて、より好ましい画像補正を自動的に実行することができる。
【００４４】
（実施形態２）
本発明の実施形態２について、上記実施形態１との相違点を中心に説明する。なおここでは、上記図１等に示した要素と同一の要素には各々同一の符号を付し、既に説明した共通の部分、すなわち説明が重複する部分については、便宜上、その説明を割愛することとする。
【００４５】
本実施形態では、携帯電話機１００が、例えば図９に示すような処理を実行する。図９の処理は、例えばメールを送信する時に実行される。
【００４６】
ステップＳ３１では、制御部２２が、メールアプリケーションを起動し、続くステップＳ３２で、宛先（通信先）及び添付画像が入力されたか否かを判断する。そして、宛先及び添付画像が入力されるまで、入力待ち状態になる。本実施形態では、添付画像が対象画像となる。
【００４７】
ステップＳ３２で入力があったと判断された場合（ステップＳ３２：ＹＥＳ）には、続くステップＳ３３で、制御部２２が対象画像を読み出す。そして、続くステップＳ３４〜Ｓ３６で、図８のステップＳ１２〜Ｓ１４と同様の処理が実行される。
【００４８】
続くステップＳ３７では、被写体識別部２２ｃが、被写体補正情報を参照して、選択された被写体（顔）に関する情報を検索し、さらに続くステップＳ３８で、その被写体に関する情報（データ）が記憶部２１に存在するか否かを判断する。具体的には、被写体補正情報の各区分（図５のグループＡ〜Ｄ）には予め所定の宛先が定められており、上記宛先が、いずれの区分の宛先と一致するか、あるいはいずれの区分の宛先とも一致しないかを判断する。
【００４９】
そして、ステップＳ３８でデータが存在すると判断された場合（ステップＳ３８：ＹＥＳ）には、ステップＳ３９で、図８のステップＳ１７と同様の処理が実行され、ステップＳ３８でデータが存在しないと判断された場合（ステップＳ３８：ＮＯ）には、ステップＳ４０で、図８のステップＳ１８と同様の処理が実行される。
【００５０】
続くステップＳ４１では、画像補正部２２ｄが、ステップＳ３９又はＳ４０で決定された補正パラメータに基づいて、対象画像を補正する。そして、さらに続くステップＳ４２で、その補正後の画像をタッチスクリーン１７に表示したり、記憶部２１に保存したりする。補正後の画像は、例えばメールに添付されて、上記宛先へ送信される。
【００５１】
本実施形態の携帯電話機１００によっても、前述した実施形態１の効果に準ずる効果が得られる。
【００５２】
（他の実施形態）
上記各実施形態では、被写体領域の選択をタッチスクリーン１７への接触により行ったが、これに限定されるものではない。例えば操作部１８等から他のポインタ操作（ポインティングデバイスの操作）により、被写体領域を選択するようにしてもよい。こうした場合も、ユーザが補正対象を任意に選ぶことができる。なお、ポインティングデバイスとしては、タッチスクリーン１７のほかに、例えばマウス、トラックボール、ライトペン、ディジタイザ、又はタブレット等を用いることができる。
【００５３】
上記各実施形態におけるプログラムは、フレキシブルディスク（磁気記録ディスク等）、ＣＤ−ＲＯＭ（Compact Disk Read-Only Memory）、ＤＶＤ（Digital Versatile Disk）、ＭＯ（Magneto-Optical disk）等の記録媒体（コンピュータで読み取り可能な記録媒体）に格納されて配布可能にされたものであってもよい。この場合、そのプログラムを所定のコンピュータにインストールすることにより、上述の処理を実行することができる。また、上記各実施形態のプログラムは、通信ネットワーク（例えばインターネットやイントラネット等）上に設けられたサーバの記憶装置（ハードディスク等）に格納され、例えば搬送波に重畳されてローカルコンピュータにダウンロードされるものであっても、又は随時サーバから読み出されてローカルコンピュータで起動実行されるものであってもよい。なお、機能の一部をＯＳ（Operating System）が担う場合には、ＯＳが担う機能以外の部分のみを配布又は転送するようにしてもよい。
【００５４】
制御部２２等の機能を実現する手段は、ソフトウェアに限られず、その一部又は全部を専用のハードウェア（回路等）によって実現するようにしてもよい。
【００５５】
上記各実施形態において、携帯電話機１００の構成（構成要素、寸法、形状、又は配置等）は、本発明の趣旨を逸脱しない範囲において任意に変更することができる。
【００５６】
上記各実施形態では、本発明を携帯電話機１００に適用した場合について説明したが、これに限定されない。本発明は、例えばＰＨＳ、ＰＤＡ、又は小型コンピュータ等にも適用することができる。さらに、本発明を他の電子機器に適用することもできるが、本発明は、特に携帯通信端末に有効である。
【００５７】
以上、本発明の実施形態について説明したが、設計上の都合やその他の要因によって必要となる様々な修正や組み合わせは、「請求項」に記載されている発明や「発明を実施するための形態」に記載されている具体例に対応する発明の範囲に含まれると理解されるべきである。
【産業上の利用可能性】
【００５８】
本発明の画像補正装置や携帯通信端末は、携帯電話機等に適している。
【符号の説明】
【００５９】
１１  無線通信部
１２  放送受信部
１３  カメラ
１４  音声処理部
１５  マイク
１６  スピーカ
１７  タッチスクリーン（表示部、ポインティングデバイス）
１８  操作部
１８ａ  テンキー
１８ｂ  方向キー／決定キー
１８ｃ  ファンクションキー
１９  状態検出部
２０  測位部
２１  記憶部
２２  制御部
２２ａ  被写体検出部
２２ｂ  被写体入力受付部
２２ｃ  被写体識別部
２２ｄ  画像補正部
１００  携帯電話機
１０１  第１筐体
１０２  第２筐体
１０３ａ、１０３ｂ  アンテナ
【図１】
2011087030.tif 000003
【図２】
2011087030.tif 000004
【図３】
2011087030.tif 000005
【図４】
2011087030.tif 000006
【図５】
2011087030.tif 000007
【図６】
2011087030.tif 000008
【図７】
2011087030.tif 000009
【図８】
2011087030.tif 000010
【図９】
2011087030.tif 000011